(57)【要約】【課題】生体消費熱量測定機５による測定時刻を、簡易な構成でかつ利用者の手を煩わすことなく適切に管理する。【解決手段】生体消費熱量測定機５に経過時間を測定する計時手段７を設けて、あらかじめ設定された一定時間毎の生体消費熱量を測定して記憶し、それを生体消費熱量データを管理するサーバ４へ送信する際に、送信動作時の計時手段７の出力と上記のあらかじめ設定された一定時間との関係と、サーバに設けられた時計手段１２による送信動作時の時刻とから、生体消費熱量測定時刻演算手段１３が生体消費熱量データの測定時刻を演算し、第二の生体消費熱量データ記憶手段１１に測定データとともに記憶する。さらにデータ記憶タイミング補正手段１７が第一の生体消費熱量データ記憶手段８に生体消費熱量データを記憶するタイミングを補正して、サーバ４でのデータ管理形式と測定とを同期させる。【選択図】　図１
2004097589.tif 000002
【特許請求の範囲】
【請求項１】
経過時間を測定する計時手段、前記計時手段の出力に基づいてあらかじめ設定された一定時間毎の生体消費熱量を繰り返し測定する生体消費熱量測定手段、前記生体消費熱量測定手段により測定した一定時間毎の生体消費熱量データを順次記憶する第一の生体消費熱量データ記憶手段、前記第一の生体消費熱量データ記憶手段に生体消費熱量データを記憶するタイミングを補正するデータ記憶タイミング補正手段、外部に送信するデータを管理する送信データ管理手段からなる生体消費熱量測定機と、時刻を測定する時計手段、前記生体消費熱量測定機からの送信データと送信データ受信時における前記時計手段の出力に基づいてこの送信データに含まれる生体消費熱量データの測定時刻を演算する生体消費熱量測定時刻演算手段、前記生体消費熱量測定機から送信された生体消費熱量データを前記生体消費熱量測定時刻演算手段により演算された測定時刻とともに記憶する第二の生体消費熱量データ記憶手段からなるサーバと、前記生体消費熱量測定機と前記サーバとの間で通信網を介して前記送信データを通信するための通信手段とから構成される生体消費熱量データ管理装置。
【請求項２】
経過時間を測定する計時手段、前記計時手段の出力に基づいてあらかじめ設定された一定時間毎の生体消費熱量を繰り返し測定する生体消費熱量測定手段、前記生体消費熱量測定手段により測定した一定時間毎の生体消費熱量データを順次記憶する第一の生体消費熱量データ記憶手段、前記第一の生体消費熱量データ記憶手段に生体消費熱量データを記憶するタイミングを補正するデータ記憶タイミング補正手段、外部に送信するデータを管理する送信データ管理手段からなる生体消費熱量測定機と、時計手段を有し、前記生体消費熱量測定機からの送信データとともに送信動作時の時刻を通信網を介して通信する通信手段と、前記生体消費熱量測定機からの送信データと前記通信手段に設けられた時計手段の出力に基づく送信時の時刻からこの送信データに含まれる生体消費熱量データの測定時刻を演算する生体消費熱量測定時刻演算手段、前記生体消費熱量測定機から送信された生体消費熱量を前記生体消費熱量測定時刻演算手段により演算された測定時刻とともに記憶する第二の生体消費熱量データ記憶手段からなるサーバとから構成される生体消費熱量データ管理装置。
【請求項３】
データ記憶タイミング補正手段は、サーバの時計手段の出力を受信して第二の生体消費熱量データ記憶手段であらかじめ設定されたデータの区切り時間に整合させて第一の歩数データ記憶手段に生体消費熱量データを記憶するようにデータ記憶タイミングを補正する構成とした請求項１記載の生体消費熱量データ管理装置。
【請求項４】
データ記憶タイミング補正手段は、通信手段の時計手段の出力を受信して第二の生体消費熱量データ記憶手段であらかじめ設定されたデータの区切り時間に整合させて第一の歩数データ記憶手段に生体消費熱量データを記憶するようにデータ記憶タイミングを補正する構成とした請求項２記載の生体消費熱量データ管理装置。
【請求項５】
送信データ管理手段は、第一の生体消費熱量データ記憶手段に記憶されている一定時間毎に測定された複数の生体消費熱量データとともに、一定時間が満了していない最新の生体消費熱量データとこれに対応する測定時間とを送信する構成とした請求項１〜４のいずれか一項記載の生体消費熱量データ管理装置。
【請求項６】
送信データ管理手段は、第一の生体消費熱量データ記憶手段に記憶されているすべての生体消費熱量データを送信する構成とした請求項５記載の生体消費熱量データ管理装置。
【請求項７】
送信データ管理手段は、第一の生体消費熱量データ記憶手段に記憶された生体消費熱量データのうち、サーバに未送信のものを識別する未送信データ識別手段を有し、データ送信時に前記未送信データ識別手段に基づいて、未送信のデータだけを送信する構成とした請求項５記載の生体消費熱量データ管理装置。
【請求項８】
生体消費熱量測定手段は、歩数、移動に伴う加速度、呼吸数、呼気中の成分、心拍数のうち少なくともひとつに基づいて生体消費熱量を算出する構成とした請求項１〜７のいずれか一項記載の生体消費熱量データ管理装置。
【請求項９】
請求項１〜８のいずれか一項記載の生体消費熱量データ管理装置の全てもしくは一部をコンピュータに実行させるプログラム。
【発明の詳細な説明】
【０００１】
【発明の属する技術分野】
本発明は、生体消費熱量測定機の測定データをサーバで管理する生体消費熱量データ管理装置に関するものである。
【０００２】
【従来の技術】
従来のこの種の生体消費熱量データ管理装置としては、いくつか従来例が存在する（例えば特許文献１，特許文献２参照）。例えば図９は前記従来の公報に記載された従来の生体消費熱量データ管理装置の概略構成を示すものである。
【０００３】
図９において、通信手段１、時計機能２及びメモリ３を内蔵し、測定データを測定時刻とともに通信手段１を介してサーバ４へ送信する機構を有する生体消費熱量測定機５、並びに、受信したデータを蓄積し、蓄積されたデータに基づいて健康状態を判断し、通信端末機１からの要求に応じて測定データ及び健康状態に関する情報を送信するサーバ４から構成される。
【０００４】
【特許文献１】
特開２００１−２１８７４３公報
【特許文献２】
特開平１０−２９５６５１号公報
【０００５】
【発明が解決しようとする課題】
しかしながら上記従来の構成は、生体消費熱量測定機５が時計機能を有するため、あらかじめ時計の時刻をきちんと合わせておかなければ測定時刻のデータに狂いが生じるという不都合がある。また、生体消費熱量測定機５のように、その機器から時刻を知る必然性のないものの時計を設定しなければならないことは利用者にとって非常に煩わしい行為であり、それがために間違った時刻が設定されている危険性がさらに高くなり、データの信憑性が損なわれるという課題があった。
【０００６】
本発明は、上記従来の課題を解決するもので、簡易な構成で利用者の手を煩わすことなく生体消費熱量データの測定時刻を適切に管理することのできる生体消費熱量データ管理装置を提供することを目的とする。
【０００７】
【課題を解決するための手段】
本発明は上記課題を解決するため、生体消費熱量測定機に経過時間を測定する計時手段を設けて、あらかじめ設定された一定時間毎の生体消費熱量を測定して記憶し、それを生体消費熱量データを管理するサーバへ送信する際に、送信動作時の計時手段の出力と上記のあらかじめ設定された一定時間との関係と、サーバに設けられた時計手段による送信動作時の時刻とから生体消費熱量データの測定時刻を演算する生体消費熱量測定時刻演算手段を設け、さらにサーバの時計手段の出力を用いて生体消費熱量データを記憶するタイミングを補正するデータ記憶タイミング補正手段を設けたものである。
【０００８】
これによって、生体消費熱量測定機におけるあらかじめ設定された一定時間の計時と送信動作時の計時との関係から、送信動作時とその生体消費熱量データが測定された時間差がわかり、さらに送信動作時の時刻がサーバの時計手段でわかるので、送信動作時の時刻から上記の時間差を差し引くことで生体消費熱量データの測定時刻が演算できるとともに、生体消費熱量測定機のデータ記憶タイミングがサーバのデータ管理と同期させることができる。
【０００９】
【発明の実施の形態】
請求項１に記載の発明は、経過時間を測定する計時手段、前記計時手段の出力に基づいてあらかじめ設定された一定時間毎の生体消費熱量を繰り返し測定する生体消費熱量測定手段、前記生体消費熱量測定手段により測定した一定時間毎の生体消費熱量データを順次記憶する第一の生体消費熱量データ記憶手段、前記第一の生体消費熱量データ記憶手段に生体消費熱量データを記憶するタイミングを補正するデータ記憶タイミング補正手段、外部に送信するデータを管理する送信データ管理手段からなる生体消費熱量測定機と、時刻を測定する時計手段、前記生体消費熱量測定機からの送信データと送信データ受信時における前記時計手段の出力に基づいてこの送信データに含まれる生体消費熱量データの測定時刻を演算する生体消費熱量測定時刻演算手段、前記生体消費熱量測定機から送信された生体消費熱量データを前記生体消費熱量測定時刻演算手段により演算された測定時刻とともに記憶する第二の生体消費熱量データ記憶手段からなるサーバと、前記生体消費熱量測定機と前記サーバとの間で通信網を介して前記送信データを通信するための通信手段とから構成することにより、生体消費熱量測定機におけるあらかじめ設定された一定時間の計時と送信動作時の計時との関係から、送信動作時とその生体消費熱量データが測定された時間差がわかり、さらに送信動作時の時刻がサーバの時計手段でわかるので、送信動作時の時刻から上記の時間差を差し引くことで生体消費熱量データの測定時刻を演算する。このように、生体消費熱量測定機に時計手段を設けず、計時手段を設けるという簡単な構成で、生体消費熱量測定機の時計を合わせるという操作を必要とせずに、測定されたデータの測定時刻が簡単に、より正確に管理できる。
【００１０】
請求項２に記載の発明は、経過時間を測定する計時手段、前記計時手段の出力に基づいてあらかじめ設定された一定時間毎の生体消費熱量を繰り返し測定する生体消費熱量測定手段、前記生体消費熱量測定手段により測定した一定時間毎の生体消費熱量データを順次記憶する第一の生体消費熱量データ記憶手段、前記第一の生体消費熱量データ記憶手段に生体消費熱量データを記憶するタイミングを補正するデータ記憶タイミング補正手段、外部に送信するデータを管理する送信データ管理手段からなる生体消費熱量測定機と、時計手段を有し、前記生体消費熱量測定機からの送信データとともに送信動作時の時刻を通信網を介して通信する通信手段と、前記生体消費熱量測定機からの送信データと前記通信手段に設けられた時計手段の出力に基づく送信時の時刻からこの送信データに含まれる生体消費熱量データの測定時刻を演算する生体消費熱量測定時刻演算手段、前記生体消費熱量測定機から送信された生体消費熱量を前記生体消費熱量測定時刻演算手段により演算された測定時刻とともに記憶する第二の生体消費熱量データ記憶手段からなるサーバとから構成することにより、生体消費熱量測定機におけるあらかじめ設定された一定時間の計時と送信動作時の計時との関係から、送信動作時とその生体消費熱量データが測定された時間差がわかり、さらに送信動作時の時刻が通信手段の時計手段でわかるので、送信動作時の時刻から上記の時間差を差し引くことで生体消費熱量データの測定時刻を演算する。請求項１に記載の発明と同様の効果が得られる。
【００１１】
請求項３に記載の発明は、データ記憶タイミング補正手段は、サーバの時計手段の出力を受信して第二の生体消費熱量データ記憶手段であらかじめ設定されたデータの区切り時間に整合させて第一の歩数データ記憶手段に生体消費熱量データを記憶するようにデータ記憶タイミングを補正する構成とすることにより、生体消費熱量測定機でのデータ記憶時にその生体消費熱量データをサーバの管理しているデータの時間区切りと整合させることができるので、正確なデータ管理が可能となる。
【００１２】
請求項４に記載の発明は、データ記憶タイミング補正手段は、通信手段の時計手段の出力を受信して第二の生体消費熱量データ記憶手段であらかじめ設定されたデータの区切り時間に整合させて第一の歩数データ記憶手段に生体消費熱量データを記憶するようにデータ記憶タイミングを補正する構成とすることにより、生体消費熱量測定機でのデータ記憶時にその生体消費熱量データをサーバの管理しているデータの時間区切りと整合させることができるので、請求項３に記載の発明と同様、正確なデータ管理が可能となるとともに、サーバと接続する必要がないので、動作時間の短縮やサーバとのデータの通信量の減少という効果もある。
【００１３】
請求項５に記載の発明は、送信データ管理手段は、第一の生体消費熱量データ記憶手段に記憶されている一定時間毎に測定された複数の生体消費熱量データとともに、一定時間が満了していない最新の生体消費熱量データとこれに対応する測定時間とを送信する構成とすることにより、サーバの時計手段による送信動作時の時刻から計時手段で計時された最新の生体消費熱量データの測定時間を遡ることによって一定時間毎に記憶された最終の生体消費熱量データの時刻がわかり、それからさらにその以前に記憶された測定時刻が順次算出できる。この場合には、第一の生体消費熱量データ記憶手段に記憶すべきデータは、一定時間毎の生体消費熱量データだけとなり記憶容量が小さくて済む。
【００１４】
請求項６に記載の発明は、送信データ管理手段は、第一の生体消費熱量データ記憶手段に記憶されているすべての生体消費熱量データを送信する構成とすることにより、サーバに送信する時期や回数は利用者によって不定期であることが想定され、サーバの第二の生体消費熱量データ記憶手段にすでに記憶されたデータも含めて送信する。この場合、送信側すなわち生体消費熱量測定機の処理が簡単になることや、サーバにデータがうまく送信できなかったときに再び送信をするために記憶を保持しておくことが容易であるといった利点がある。
【００１５】
請求項７に記載の発明は、送信データ管理手段は、第一の生体消費熱量データ記憶手段に記憶された生体消費熱量データのうち、サーバに未送信のものを識別する未送信データ識別手段を有し、データ送信時に前記未送信データ識別手段に基づいて、未送信のデータだけを送信する構成とすることにより、送信するデータとすでに第二の生体消費熱量データ記憶手段に記憶されたデータとの重複を避けるので、送信の所要時間を最小限にできることや、サーバでのデータの処理が少なくなるという効果がある。
【００１６】
請求項８に記載の発明は、生体消費熱量測定手段は、歩数、移動に伴う加速度、呼吸数、呼気中の成分、心拍数のうち少なくともひとつに基づいて生体消費熱量を算出する構成とすることにより、簡易な構成で生体消費熱量を推測し、生体消費熱量測定機を身につけて移動するのに負担にならなくすることができる。
【００１７】
請求項９に記載の発明は、請求項１〜９のいずれか１項記載の生体消費熱量データ管理装置の全てもしくは一部をコンピュータに実行させるプログラムとすることにより、パソコンなどで容易に実現することができ、そのプログラムを記録した記録媒体を用いることでソフトウェアを各利用者の家庭でインストールする作業も容易になる。
【００１８】
【実施例】
以下、本発明の実施例について図面を参照しながら説明する。
【００１９】
（実施例１）
図１は本発明の実施例１の構成を示す図である。
【００２０】
生体消費熱量測定機としての歩数計５と、この歩数計５内には歩行による振動に応じて接点が開閉するように構成されたスイッチにより歩数をカウントする歩数カウント部６と、計時手段７と、歩数カウント部６の出力を一定時間毎に記憶する第一の生体消費熱量データ記憶手段としての第一の歩数データ記憶手段８と、第一の歩数データ記憶手段８の記憶内容と計時手段７の出力に基づいて歩数計５に接続された通信手段１への送信データを管理する送信データ管理手段９と、サーバ４と、このサーバ４内に歩数計５から通信手段１と公衆回線網１０を介して送信されてきた歩数データが記憶された第二の歩数データ記憶手段１１と、時計手段１２と、この時計手段１２の出力と歩数計５からの送信データに基づいて歩数計５で測定された時刻を演算する歩数測定時刻演算手段１３が設けられている。
【００２１】
また、第一の歩数データ記憶手段８内には一定時間が満了していない歩数カウント部６からのデータを一時的に記憶しておく歩数データ一時記憶部１４と、一定時間が満了したデータを歩数データ一時記憶部１４から転記して順次記憶する一定時間毎データ記憶部１５と、計時手段７の出力に基づいて歩数データ一時記憶部１４から一定時間毎データ記憶部１５にデータを転記するタイミングを制御するデータ記憶タイミング制御部１６が設けられている。さらに、歩数計５とサーバ４の接続時にサーバ４の時計手段１２の出力を通信手段１を介して受信し、データ記憶タイミング制御部１６による歩数データ一時記憶部１４から一定時間毎データ記憶部１５にデータを転記するタイミングを補正するデータ記憶タイミング補正手段１７を備えている。
【００２２】
通信手段１とサーバ４との接続については一般的に採用されているデータ通信をおこなうための手段を利用して実現するため、詳細な構成については省略する。
【００２３】
また、歩数計５は通常の使用時には通信手段１とは別設で、データを送信するときだけ通信手段１に接続する構成としている。
【００２４】
図２は第一の歩数データ記憶手段８の記憶内容を示す図である。記憶されているデータは一定時間毎の歩数データであるが、本実施例においては一定時間を３０分とし、２日分９６個の歩数データを記憶している。また、データＮｏ．０は歩数カウント部６がカウントしている最中の歩数データであり、歩数データ一時記憶部１４として用いている。３０分が満了するとデータＮｏ．０の歩数データはＮｏ．１に転記され、それに応じてすべてのデータを一つずつ繰り上げ、最も古いＮｏ．９５のデータはその時点で削除される。なお、Ｎｏ．１からＮｏ．９５のデータが一定時間毎データ記憶部１５の内容である。
【００２５】
図３は第二の歩数データ記憶手段１１の内容を示す図である。記憶されているデータは複数の利用者▲１▼１８、利用者▲２▼１９、利用者▲３▼２０別に、利用者の年齢、性別、およびデータとしては、歩数データの年月日時、歩数データおよびそれから算出された消費熱量である。
【００２６】
以上の構成において、その動作を図４のフローチャートを用いて説明する。
【００２７】
ステップ４０１はデータ送信のために歩数計５が通信手段１に接続されたかどうかを監視しているループである。利用者が歩数計５を身につけて歩数を測定している状態では、ステップ４０２で、歩数カウント部６から歩数データ一時記憶部１４に歩数が積算される。ステップ４０３は計時手段７に基づいてデータ記憶タイミング制御部１６が３０分と定められた一定時間が経過したかどうかを判断し、３０分経過すると、まずステップ４０４にて一定時間毎データ記憶部１５の歩数データを順次入れ換える。具体的にはＮｏ．９４のデータをＮｏ．９５に、Ｎｏ．９３のデータをＮｏ．９４にというように順次移動し、Ｎｏ．１のデータをＮｏ．２に移動するまで繰り返す。この操作により、Ｎｏ．９５にあった最も古いデータは消去される。その後、ステップ４０５にて歩数データ一時記憶部１４の歩数データつまりＮｏ．０のデータをＮｏ．１に転記し、さらにステップ４０６にて、歩数データ一時記憶部１４をリセットして０にする。
【００２８】
ここまでの動作は、利用者が歩数計５を身につけている状態での通常動作である。
【００２９】
利用者がサーバにデータを送信するために通信手段１と歩数計５を接続したことをステップ４０１で判断されると、通信手段１は歩数計５を公衆回線網１０を介してサーバ４に接続した後、送信データ管理手段９はステップ４０７にて、第一の歩数データ記憶手段８のすべてのデータすなわち歩数データ一時記憶部１４と一定時間毎データ記憶部１５の歩数データと、送信時において３０分未了の端数時間つまり歩数データ一時記憶部１４に記憶された歩数に対応する時間とをサーバ４に送信する。ステップ４０８にてサーバ４はデータを受信するが、そのときの時計手段１２の出力と歩数計５から送信されてきた端数時間に基づき、歩数測定時刻演算手段１３が送信されてきた歩数の測定時刻を演算する。歩数測定時刻演算手段１３における測定時刻演算の方法は、３０分に未了の端数時間と時計手段１２による送信時の時刻から歩数計５で３０分の測定時間を満了した最新の時刻がわかるので、それ以前の３０分毎の歩数データはすべて時刻が特定できる。
【００３０】
さらにステップ４０９にて、これらの歩数データを１時間毎のデータとして振り分けた後、ステップ４１０で第二の歩数データ記憶手段１１に記憶する。最後に、ステップ４１１で歩数計５はサーバ４から時計手段１２の現在時刻を受信し、その時刻に基づいて歩数データ一時記憶部１４のデータを一定時間毎データ記憶部１５に転記するタイミングを算出して補正した上で通信を終了し、その結果、図３のようなデータが作成される。
【００３１】
図５を用いて具体的に説明すると、歩数計５から送信されてきた端数時間が２０分であり、その時刻が１８時２０分であったとすると、３０分ごとの最新の区切りの時刻は１８時００分となる。したがって、それより前は順次３０分毎に１７時３０分、１７時００分、というように求められる。サーバ４でのデータの記憶は１時間ごとの毎時００分間隔としてあり、３０毎に測定された実データの値をそれぞれに割り振って、１７時００分から１７時３０分までと１７時３０分から１８時００分までの歩数データを合算してサーバ上で１８時００分から１９時００分までのデータとして管理する。最新の端数時間２０分に対応する１８時００分から１８時３０分のデータは１８時００分から１９時００分としておく。なお、この端数時間部分については、この後継続して歩数がカウントされて３０分を満了した歩数データになれば、次にデータが送信されたときに改めて更新されることになる。ここまでの説明は、計時手段７のデータ記憶タイミング制御部１６がサーバ４の時計手段１２とうまく同期している場合であるが、歩数計５の計時手段７とサーバ４の時計手段１２は別々に動作しているので、たとえば歩数計５の電池交換がなされている時間、動作が停止していたというような場合、図４のステップ４０５における歩数データ一時記憶部１４から一定時間毎データ記憶部１５へのデータ転記のタイミングがサーバ４の時計手段１２の実時刻とずれている場合がある。そのときには、図４のステップ４０９では、最も近い時間区分にデータを振り分ける処理をおこなう。つまり、歩数測定時刻演算手段１３によって求められた時刻が図５においてそれぞれ１７時０５分、１７時３５分、１８時０５分であった場合、１７時０５分から１８時０５分までを第二の歩数データ記憶手段１１では１８時から１９時までのデータとして記憶する。その後、歩数計５は、サーバ４から時計手段１２の示す実時刻を受信し、データ記憶タイミング補正手段１７により、次に歩数データ一時記憶部１４から一定時間毎データ記憶部１５にデータを転記するタイミングを算出する。図５と同様に１８時２０分に送信したときに、上記で説明したような５分のずれが生じた場合には、端数時間は１５分となっており、そのまま３０分間隔に測定されるとすると、次の測定の実時刻は１８時３５分となってしまう。したがって、データ記憶タイミング補正手段１７は次の測定タイミングを１０分後の１８時３０分になるように、データ記憶タイミング制御部１６を補正する。すなわち、この回のみ歩数データ一時記憶部１４から一定時間毎データ記憶部１５へのデータ転記の時間間隔は２５分となる。以降は計時手段７を用い、あらかじめ定められた３０分間隔のデータ転記となる。
【００３２】
このように、本実施例では歩数計５には時計機能を持たず、経過時間だけ測定できる計時手段７を設けて、３０分という一定時間毎に記憶された歩数データをサーバ４へ送信する際に、送信動作時の計時手段７の出力と上記３０分毎の記憶タイミングの区切りとから測定途中の３０分を満了していない端数時間を求め、この端数時間とサーバ４に設けられた時計手段１２による送信動作時の時刻とから歩数測定時刻演算手段１３により、すべての歩数データの測定時刻を演算する。さらに、データ送信時にあわせてサーバ４の時計手段１２の出力を受信して都度歩数データを記憶するタイミングの補正をおこなう。
【００３３】
これによって、歩数計５におけるあらかじめ設定された一定時間の計時と送信動作時の計時との関係から、送信動作時とその歩数データが測定された時間差がわかり、さらに送信動作時の時刻がサーバの時計手段でわかるので、送信動作時の時刻から上記の時間差を差し引くことで歩数データの測定時刻が演算できる。また、歩数データを記憶するタイミングの補正によって歩数計５で測定する歩数データとサーバ４で管理するデータとの同期がきわめてうまく保たれるのでデータの信頼性が高い。
【００３４】
このように、本実施例では、簡単な構成で精度よく歩数の測定時刻を知ることができる。利用者にとっては歩数計５に時計手段を持たないので時刻を合わせる必要がなく、たいへん利便性が高い。同時に、時計を合わせなくてもよいということから間違った時刻を設定する不都合も皆無でありデータの信憑性が高い。
【００３５】
また、本実施例では、３０分毎に最近２日間にわたって測定した歩数データを、利用者によって送信される頻度に関わりなく、すべて送信する構成としており、この利点としては、歩数計５の構成が簡単になるとともに、送信動作時に通信の不具合が生じたときにも、送信するに際して歩数計５のデータに対しては何も操作を施していないので、サーバ４からそのまま再送信を促すなどでデータ復元が容易であるというように、システム的にみて簡単な構成でかつ信頼性が高まるという効果がある。
【００３６】
なお、本実施例では、サーバ４と通信手段１との接続には公衆回線網１０を用いたが、インターネット等他の通信網を用いてもよい。
【００３７】
また、通信手段１と歩数計５が別設の構成としたが、一体の構成でもよい。
【００３８】
（実施例２）
次に本発明の実施例２について説明する。実施例１と異なる点は、図７に示すように、通信手段１内に時計手段１２を設けたことと、送信データ管理手段９に未送信データ識別手段１８を設けたことである。
【００３９】
その動作を図７のフローチャートを用いて説明する。
【００４０】
まず、ステップ７０１にて未送信データ識別手段１８の未送信データカウンタを０にし、歩数の測定がスタートされる。この処理は、サーバ４にデータが送信された後、毎回なされるものである。
【００４１】
次のステップ７０２からステップ７０７までは実施例１の動作と同様であるが、ステップ７０８にて３０分満了したデータが１個新しく記憶されると、それに応じて未送信データカウンタに１を加算する。
【００４２】
ステップ７０３で歩数計５が通信手段１に接続されたことを判断すると、送信データ管理手段９は、第一の歩数データ記憶手段８のデータのうち、未送信データ識別手段１８中の未送信データカウンタの数に対応した個数の一定時間毎データ記憶部１５の歩数データと、歩数データ一時記憶部１４の歩数データと送信時の３０分未了の端数時間をサーバ４に送信する。これと同時に通信手段１に設けられた時計手段１２の時刻出力をサーバ４が取得する。なお、一定時間毎データ記憶部１５から送信する歩数データは新しいものから未送信データカウンタの個数分となるが、未送信データカウンタの値が９５以上の場合はすべてのデータが送信されることになる。
【００４３】
次のステップ７１０は、実施例１と同様にして、サーバ４の歩数測定時刻演算手段１３により、歩数データの測定時刻を求め、ステップ７１１にて、これらの歩数データを１時間毎のデータとして振り分けた後、ステップ７１２で第二の歩数データ記憶手段１１に記憶する。最後にステップ７１３で、歩数計５はサーバ４から現在時刻を受信し、その時刻に基づいて歩数データ一時記憶部１４のデータを一定時間毎データ記憶部１５に転記するタイミングを算出して補正した上で通信を終了する。
【００４４】
本実施例においても、歩数計５に時計手段１２を持たないことの利点としては実施例１と同様の効果が得られる他、利用者側にある通信手段１の時計手段１２の時刻出力を用いることの利点として、利用者が時差のあるところに居る場合など、現地時刻でデータを管理する方が好都合な場合があり、サーバ４での管理が煩雑になるのを軽減する効果がある。たとえば通信手段１として用いられる携帯電話やパソコンなどの機器は一般に時計機能を有しているとともに、利用者にとってその時計の時刻を合わせることも比較的必然性を持つため、不便を強いるということはあまり生じない。
【００４５】
また、本実施例では、実施例１と比較して送信時のエラー管理などを強化する必要があるが、一度サーバに送信したデータは次回の送信時に重複して送信されないようにしたので、データのトラフィックや処理時間を軽減できるという効果があり、利用者にとっても通信時間が短いことは心理的にも有利である。
【００４６】
なお、以上の実施例において、生体消費熱量を表すものとして歩数を測定する構成を例に挙げたが、他に歩数、移動に伴う加速度、呼吸数、呼気中の成分、心拍数も生体消費熱量と相関があり、本発明において使用することができる。さらに、それらのうち複数を用いれば、より精度の高い生体消費熱量測定を実現することが可能となる。
【００４７】
また、以上の実施例においてその動作の全てもしくは一部をコンピュータに実行させるプログラムとすることにより、パソコンなどで容易に実現することができ、そのプログラムを記録した記録媒体を用いることでソフトウェアを各利用者の家庭でインストールする作業も容易になる。
【００４８】
【発明の効果】
以上のように、本発明によれば、生体消費熱量測定機に時計手段を設けないという簡易な構成で、かつそれゆえに間違った時刻を設定する不都合も皆無であり測定時刻を正確に管理することができるとともに、データ記憶タイミング補正手段によって生体消費熱量測定機でデータを記憶するタイミングをサーバで管理するデータ形式に同期させられるため、データの信憑性が高いという効果と、利用者にとっては生体消費熱量測定機の時計を合わせる必要がないというように、実用上きわめて大きな効果が得られる。
【図面の簡単な説明】
【図１】本発明の実施例１における生体消費熱量データ管理装置の構成図
【図２】同第一の生体消費熱量データ記憶手段としての第一の歩数データ記憶手段の記憶内容を示した図
【図３】同第二の生体消費熱量データ記憶手段としての第二の歩数データ記憶手段の記憶内容を示した図
【図４】同実施例１の動作のフローチャート
【図５】同生体消費熱量データ整合手段としての歩数データ整合手段の動作説明図
【図６】本発明の実施例２における生体消費熱量データ管理装置の構成図
【図７】同実施例２の動作のフローチャート
【図８】従来の生体消費熱量データ管理装置の構成図
【符号の説明】
１　通信手段
４　サーバ
５　生体消費熱量測定機としての歩数計
６　生体消費熱量測定手段としての歩数カウント部
７　計時手段
８　第一の生体消費熱量データ記憶手段としての第一の歩数データ記憶手段
９　送信データ管理手段
１１　第二の生体消費熱量データ記憶手段としての第二の歩数データ記憶手段
１２　時計手段
１３　生体消費熱量測定時刻演算手段としての歩数測定時刻演算手段
１７　データ記憶タイミング補正手段
１８　未送信データ識別手段
【図１】
2004097589.tif 000003
【図２】
2004097589.tif 000004
【図３】
2004097589.tif 000005
【図４】
2004097589.tif 000006
【図５】
2004097589.tif 000007
【図６】
2004097589.tif 000008
【図７】
2004097589.tif 000009
【図８】
2004097589.tif 000010